(57)【要約】      （修正有）【課題】抜き取り可能な折り込みを有する、新聞、日刊紙、雑誌、定期刊行物等の印刷刊行物を提供する。【解決手段】印刷シート１２のシート束１１を有する新聞、日刊紙、雑誌または定期刊行物を含む印刷刊行物１０であって、シート束は、表紙１３と、裏表紙１４と、少なくとも１つの閉じ側１５と、少なくとも１つの開き側１６と、前記シート束１１内に固定されずに配置され前記少なくとも１つの開き側１６を通して引き出し可能な挿入物１７とを備えた印刷刊行物１０において、印刷刊行物１０は、前記少なくとも１つの開き側１６の少なくとも１つの広がりを閉じる取り外し可能タイプの閉じ手段１８であって、前記挿入物１７が意図せずに滑り出ないようにする閉じ手段１８を備えている。【選択図】図２
0003179298.tif 000002
【実用新案登録請求の範囲】
【請求項１】
印刷シート（１２）のシート束（１１）を有する新聞、日刊紙、雑誌または定期刊行物を含む印刷刊行物（１０）であって、
シート束は、表紙（１３）と、裏表紙（１４）と、少なくとも１つの閉じ側（１５）と、少なくとも１つの開き側（１６）と、前記シート束（１１）内に固定されずに配置され前記少なくとも１つの開き側（１６）を通して引き出し可能な少なくとも１つの引き出し可能な挿入物（１７）とを備えた印刷刊行物（１０）において、
印刷刊行物（１０）は、前記少なくとも１つの開き側（１６）の少なくとも１つの広がりを閉じる取り外し可能タイプの閉じ手段（１８）であって、前記少なくとも１つの挿入物（１７）が意図せずに滑り出ないようにするのに適した閉じ手段（１８）を備えている、
ことを特徴とする印刷刊行物。
【請求項２】
前記取り外し可能タイプの閉じ手段（１８）は、対応する側を開くように、前記シート束（１１）からの取り外しを容易にする把持要素（１９）を備えている、
請求項１に記載の印刷刊行物。
【請求項３】
前記取り外し可能タイプの閉じ手段（１８）は、外方に向くように意図され個人データ、広告等を印刷可能な面を備えている、
請求項１または２に記載の印刷刊行物。
【請求項４】
前記取り外し可能タイプの閉じ手段（１８）は、Ｕ，Ｃまたは同様の形状に形成または折り曲げられた要素を備え、前記シート束（１１）の対応する部分を収容するように、前記少なくとも１つの開き側の少なくとも１つの広がりにまたがるように構成されている、
請求項１ないし３のいずれか１項に記載の印刷刊行物。
【請求項５】
前記Ｕ、Ｃまたは同様の形状に形成または折り曲げられた要素は、２つの分岐部を有し、その一方が前記裏表紙（１４）に固定され、他方が前記表紙（１３）に固定され、
前記２つの分岐の少なくとも１が、取り外し可能に、それぞれの前記表紙または裏表紙に固定されている、
請求項４に記載の印刷刊行物。
【請求項６】
前記Ｕ、Ｃまたは同様の形状に形成または折り曲げられた要素は、２つの分岐部を有し、その一方が前記裏表紙（１４）に固定され、他方が前記表紙（１３）に固定され、
さらに、前記２つの分岐部を分離するための破断を容易にする部分を有している、
請求項４に記載の印刷刊行物。
【請求項７】
前記取り外し可能タイプの閉じ手段（１８）は、前記少なくとも１つの開き側（１６）の少なくとも一部分にまたがるように２つに折られた帯部（２０）を有し、
この帯部は、２つの端部分（２０ａ、２０ｂ）であって、一方が前記裏表紙（１４）に固定され、他方が前記表紙（１３）に固定されている２つの端部分（２０ａ、２０ｂ）を有し、
前記２つの端部分（２０ａ、２０ｂ）の少なくとも１は、前記シート束（１１）のそれぞれの表紙（１３）または裏表紙（１４）に取り外し可能に固定されている、
請求項１ないし５のいずれか１項に記載の印刷刊行物。
【請求項８】
前記シート束（１１）のそれぞれの表紙（１３）または裏表紙（１４）に取り外し可能に固定されている前記２つの端部分（２０ａ、２０ｂ）の前記少なくとも１は、把持要素（１９）を有し、該把持要素は、前記帯部の取り外しを容易にし、ユーザが把持できるようにされている、
請求項７に記載の印刷刊行物。
【請求項９】
前記シート束（１１）のそれぞれの表紙（１３）または裏表紙（１４）に取り外し可能に固定されている、前記２つの端部分（２０ａ、２０ｂ）の前記少なくとも１は、「剥がし付着(peel and stick)」タイプの接着層（２２）を介在させることによって固定されている、
請求項７または８に記載の印刷刊行物。
【請求項１０】
前記把持要素（１９）は、前記２つ端部分（２０ａ、２０ｂ）の前記少なくとも１つの端縁に構成された非接着タブ（２１）を備えている、
請求項７または８に記載の印刷刊行物。
【請求項１１】
前記取り外し可能タイプの閉じ手段（１８）は、前記少なくとも１つの開き側の少なくとも１つの広がりにまたがるように２つ折りにされた帯部を備え、該帯部が２つ端部分を有し、端部分の一方が前記表紙（１３）に固定され、他方が前記裏表紙（１４）に固定され、前記帯部分が更に前記２つの端部分を分離するための破断を容易する部分を有している、
ことを特徴とする請求項１ないし１０のいずれか１項に記載の印刷刊行物。
【請求項１２】
前記シート束（１１）の各シート（１２）が２つ折りにされ、
折られた前記シート（１２）が互いに挿入され、
前記少なくとも１つの閉じ側（１５）が前記シート（１２）の折り曲げ部によって形成され、
前記挿入物が前記折られたシート（１２）の間に配置されている、
請求項１ないし１１のいずれか１項に記載の印刷刊行物。
【請求項１３】
前記シート束（１１）の各シート（１２）が、重ねて折り曲げることによって、または接着等によって、一端（１５’）で一緒に接合され、
一緒に接合された複数の前記シート（１２）が、少なくとも１回、折られ、少なくとも１つの閉じ側が形成され、この閉じ側から２つの重なった半部分が延び、この半部分の間に前記挿入物（１７）が配置され、この半部分の外方に面した面が、前記表紙（１３）および裏表紙（１４）を構成する、
請求項１ないし１２のいずれか１項に記載の印刷刊行物。
【請求項１４】
前記半部分が、異なる幅を有する、
請求項１３に記載の印刷刊行物。
【考案の詳細な説明】
【技術分野】
【０００１】
本考案は、抜き取り可能な折り込みを有する、新聞、日刊紙、雑誌、定期刊行物等の印刷刊行物に関する。
【背景技術】
【０００２】
永い間、新聞、日刊紙、雑誌、定期刊行物等の一般印刷刊行物に、一つ以上の抜き取り可能な折り込みを添付することが普通に行われている。
【０００３】
普通、折り込みは、そのものが、例えば金融、科学、娯楽等の特別な分野の情報に貢献する印刷刊行物であり、あるいは、特別なトピックに関する情報や宣伝情報を含むものまでも提供する印刷刊行物である。
【０００４】
特に、新聞、日刊紙、定期刊行物、一般的雑誌は、これらに限られるわけではないが、これらに添付された折り込みが、それらを各ページの間またはそれら自身を折り畳んでできる二つの半折りの間に、固定されず自由な状態で挿入されている。
【０００５】
折り込みは、新聞、日刊紙、定期刊行物を包装しながら挿入されたり、あるいは、その後に、それらを展示したり配達する前に例えば販売者によって挿入される。
【０００６】
このような編集物を扱いながら、保管、配達、及び展示の段階で折り込みを正確に挿入することができる。しかし、折り込みは自由な状態で固定されずに編集物に挿入されるから、折り込みは滑り出てしまう。
【０００７】
このような問題を避けるため、新聞、日刊紙、雑誌、定期刊行物とそれらの折り込みからなる編集物を、プラスチックフィルムやペーパーによって作られた各バッグに一つずつ包み込むことがすでに知られている。
【０００８】
そのような包み込みは、加工された製品に利用できる寸法の生産ラインを必要とする。
【０００９】
そのような包み込みは、各製品を完全に包むためにかなりの量のプラスチックフィルムを必要とする。
【考案の概要】
【考案が解決しようとする課題】
【００１０】
本考案の目的は、従来技術の上述した欠点を解決した印刷刊行物を提供することである。
【００１１】
このような概略的な目的において、本考案の一つの目的は、簡単で信頼性の高い方法で、印刷刊行物の中に固定されず自由に挿入された折り込みが滑り出たり抜け出ることがない印刷刊行物を提供することである。
【００１２】
本考案の他の目的は、独特な構造的特徴を有する印刷刊行物であっても、限られた材料の使用によって、信頼性と安全性に最大の保証を与えることができる印刷刊行物を提供することである。
【００１３】
本考案のさらに他の目的は、その内側に固定されず自由に挿入された折り込みを確実に保持しながら、市場で容易に見つけることができ要素及び材料から容易に入手でき、かつ競争力のある価格の印刷刊行物を提供することである。
【課題を解決するための手段】
【００１４】
本考案のこれらの目的又は他の目的は、請求項１に記載されているように、新聞又は日刊の印刷刊行物、雑誌又は定期刊行の印刷刊行物を作成することにより達成される。
【００１５】
本考案による新聞又は日刊の印刷刊行物、雑誌又は定期刊行の印刷刊行物の更なる特徴が、従属請求項の対象となっている。
【００１６】
本考案による新聞又は日刊の印刷刊行物、雑誌又は定期刊行の印刷刊行物の特徴及び利点は、添付の概略図面を参照して、限定目的ではなく、例示として与えられる下記の記載から明らかになるだろう。
【図面の簡単な説明】
【００１７】
【図１】２つの重なっている半部分の間に、止めていない状態で配置された複数の挿入物を伴う、従来技術による折り畳まれた日刊型の印刷刊行物の斜視図である。
【図２】２つの重なっている半部分の間に、止めていない状態で配置された複数の挿入物を伴う、本考案による折り畳まれた日刊型の印刷刊行物の斜視図である。
【図３】図２の印刷刊行物を開く段階を示す斜視図である。
【図４】図３の刊行物を後方から見た斜視図である。
【図５】図２乃至４の印刷刊行物の取り外し可能タイプの閉じ手段の斜視図である。
【考案を実施するための形態】
【００１８】
図１を参照すると、新聞、日刊紙、雑誌、期間紙、又は従来技術の類似するものである印刷刊行物１００が示されている。
【００１９】
刊行物１００は、シート１０２からなるシート束１０１からなり、シート束１０１は、表紙１０３及び裏表紙１０４を有し、少なくとも一つの開じ側１０５、及び少なくとも一つの開き側１０６を有する。
【００２０】
具体的には、刊行物１００は、それぞれのシート１０２が折りたたまれ、シート１０２が互いに挿入されている新聞又は日刊紙のタイプであり、これにより、折りたたまれて互いに挿入されたシート１０２の組は、第１の開じ側１０５’及び３つの開き側１０６’、１０６’’、１０６’’’を有する。
【００２１】
周知のように、このような組は、さらにその半分に折りたたまれ、折りたたむことにより開じ側１０５が形成され、この開じ側１０５から二つの重なった半部分が延び、その重なった縁部は、具体的には、開き側１０６’、１０６’’からなり、一つ、または、二つの開き側１０６を形成する。
【００２２】
一方、外側に向いた二つの半部分は、表紙１０３及び裏表紙１０４を形成する。
【００２３】
二つの半部分の間に、複数の挿入物１０７が挿入され、この挿入物１０７は、拘束されておらず、シート束１０１に対して固定されていない。
【００２４】
さらに、知られていることだが、二つの半部分は異なる幅を有し、このため、重ねることにより、二つのうちの一方、大きい方が、この分野の専門用語で「オーバーハング（overhang）」とよばれる他方に対して突出する端部を有し、刊行物１００を包装する際に、挿入物１０７の二つの半部分の間への挿入のための把持要素として作用する。
【００２５】
図１から見てとれるように、挿入物１０７はシート束１０１に拘束されていないため、これらは、一又は二以上の開き側１０６を通り、シート束１０１から滑り抜けうる。
【００２６】
一方、図２乃至図４は、本考案に係る、新聞、日刊新聞、雑誌や定期刊行タイプの印刷刊行物１０を示している。
【００２７】
公知の刊行物と同様に、この刊行物１０は、シート１２のシート束１１を有し、このシート束１１は、表紙１３及び裏表紙１４を備えると共に、少なくとも１つの閉じ側１５及び少なくとも１つの開き側１６を備えている。
【００２８】
特に、この刊行物１０は、折り畳まれ互いに差し込まれたシート１２の組が第１の閉じ側１５’と、３つの開き側１６’，１６’’，１６’’’を有するように、シート１２の各々が自身の上に折り畳まれ、互いに差し込まれたような新聞や日刊新聞である。
【００２９】
既に知られているように、そのような組は、自身の上に更に２つ折りされ、この折り畳みによって閉じ側１５が定められ、この閉じ側１５から、重なり合う２つの半部分が延び、これらの半部分の端部の重なり合いが開き側１６，１６’に対応し、１つ又は２つの開き側１６を定義する。
【００３０】
一方、外側に面しているこれらの２つの半部分の表面が表紙１３と裏表紙１４を定義する。
【００３１】
また、このような場合、これらの２つの半部分の間に、固定されずまたシート束１１から自由である複数の挿入物１７が挿入される。
【００３２】
既に知られているように、更に、これらの２つの半部分は異なる幅を有しており、重なり合うことによって、１つ又は２つの半部分、より大きな方が、もう一方の半部分から見て突き出した端部Ｂを有しており、業界用語で「オーバーハング」と定義される。そして、刊行物１０を包装する際、これは挿入物１７を２つの半部分の間に挿入するための把持要素の役割を果たす。
【００３３】
示された構造は純粋な例示であって、限定目的のためではなく、刊行物１０の構造はこの例示された構造と異なり得る。
【００３４】
例えば、２つの半部分は同じ幅であってもよく、又は半部分が存在しなくても良く、この場合挿入物はシート束１１のシート１２の間に直接挿入される。更に、シート１２の綴じ方が異なってもよく、例えば閉じ側１５で結び合わせられたり、ホッチキス止めされてもよい。
【００３５】
本考案による刊行物１０の特有な特性は、刊行物１０が、開き側１６の少なくとも一部を閉じると共に、誤って挿入物１７が刊行物１０内から滑り出ることを防止するのに適した、着脱可能な形式の手段１８を備えたことである。
【００３６】
有利には、閉じ手段１８は、対応する側を開くために、シートの束１１からそれ自体を取り外すのを容易にするのに適したグリップ要素１９を備えている。
【００３７】
さらに、有利には、閉じ手段１８は、表面を有しており、この表面は、外側を向くように意図されており、刊行物１０が郵便で送付される場合の荷受人の住所のような個人データや広告情報等を印刷可能である。
【００３８】
添付の図２〜図５に示された実施形態を参照すると、閉じ手段１８は、開き側１６の広がりの２つにまたがった状態で折り畳まれた帯部２０からなる。
【００３９】
帯部２０は、２つの端部分、すなわち第１端部分２０ａと第２端部分２０ｂをそれぞれ有し、第１端部分２０ａは刊行物１０の表紙１３に留められ、第２端部分２０ｂは裏表紙１４に留められる。
【００４０】
第１端部分２０ａ及び第２端部分２０ｂは、開き側１６の広がりにまたがる中間部分２０ｃによりつなぎ合わされている。
【００４１】
添付の図面に示された実施形態では、第１端部分２０ａと第２端部分２０ｂの一方又は両方が、開き側１６の再オープン及び挿入物１７の抜き出しを可能にするように、例えば、「剥がし付着(peel and stick)」タイプの接着剤の介在により、それぞれの表紙１３と裏表紙１４に脱着可能に留められる。
【００４２】
さらに、有利には、第１端部分２０ａおよび／または第２端部分２０ｂの少なくとも１つの縁部が、帯部２０の取り外しを容易にするように、例えば、接着剤なしの又は接着剤が当業者に既知の方法で「無力化」されたタブ２１の形式のグリップ要素１９でできている。
【００４３】
しかしながら、帯部２０の変形実施形態、特に、刊行物１０の表紙１３及び裏表紙１４における出版物の固定様式の変形実施形態及びその開く様式の変形実施形態は除外されていない。
【００４４】
例えば、帯部２０は、その分断を促進させるための部分を有することができ、この部分は、例えば、開き側１６にまたがったままの状態で、第１端部分２０ａと第２端部分２０ｂとの間に形成することができる。このような場合、帯部２０によって閉じられていた小冊子の開き側１６を再び開けるために帯部２０を取り外すことが、同じ分断によって生じる。
【００４５】
図５は、第１端部分２０ａ、中間部２０ｃ及び第２端部分２０ｂを備える帯部２０の展開図を示し、第１端部分２０ａ、中間部２０ｃ及び第２端部分２０ｂは、互いに連続して離断することなく続き、さらに、これらは、その表面で、「剥がし付着(peel and stick)」タイプの接着層２２を、刊行物１０の表紙１３及び裏表紙１４に、それぞれ貼り付けられるようになっている。
【００４６】
第１端部分２０ａの端縁部において、接着層２２は、グリップタブ２１を形成するように、中断されて、又は、不活性化されるようになっている。
【００４７】
接着層２２によって覆われた帯部２０の表面と反対の帯部２０の表面は、この反対側で、個人データ、情報又は広告を表示するために周知の方法によって、その表面上に印刷されるのに適している。
【００４８】
更に、閉じ手段１８の変形実施形態は排除されず、概して、それらは、シート束１１の対応する部分を包含するように、Ｕ形、Ｃ形あるいは同様の形状に形成され又は折り畳まれ、且つ開き側１６の少なくとも一部分にまたがって配置された要素を有することができる。
【００４９】
Ｕ形、Ｃ形あるいは同様の形状に形成され又は折り畳まれた要素は、一方が出版物の裏表紙１４に固定されることができ、他方が出版物の表紙１３に固定されることができる２つの分岐部を有し、このような２つの分岐部の少なくとも１つは、例えば、「剥がし付着(peel and stick)」タイプの１つの接着層を介在させることによって、取り外し可能な方法でそれぞれの表紙あるいは裏表紙に固定され、あるいは、変形例では、２つの分岐部を破って分離するのを容易にするための部分が存在する。
【００５０】
本願考案の印刷刊行物は、その１つまたは２つ以上の開放側面の少なくとも１つの広い領域に貼り付けられた取り外し可能なタイプの閉じ手段を設けたおかげで、簡単且つ効果的な方法で、その中に配置された折込印刷物を固定しない方法で保持し、それらが抜けて開放側から外に出ることを防ぐという利点を有する。
【００５１】
更に、本願考案の印刷刊行物は、市場で容易に見つかり、且つ低コストである材料および要素を使用することによって得ることができる。
【００５２】
最後に、かくして理解された印刷刊行物には多数の変更および変形をなすことができ、全てが本考案に含まれ、更に、全ての項目は、技術的に均等な要素と置き換えることができる。実施するうえで、用いられる材料および寸法は、技術的な要求に従い、いかなるものであってもよい。
【符号の説明】
【００５３】
１０  印刷刊行物
１１  シート束
１２  シート
１３  表紙
１４  裏表紙
１５，１５’  閉じ側
１６，１６’，１６’’，１６’’’  開き側
１７  挿入物
１８  閉じ手段
１９  グリップ要素
２０  帯部
２０ａ  第１端部分
２０ｂ  第２端部分
２０ｃ  中間部
２１  非接着タブ
２２  接着層
【図１】
0003179298.tif 000003
【図２】
0003179298.tif 000004
【図３】
0003179298.tif 000005
【図４】
0003179298.tif 000006
【図５】
0003179298.tif 000007